(57)【特許請求の範囲】
【請求項１】
持ち手を付設した円形状容器であって、火消蓋体の被冠装着で消火に十分な密閉とすることができる火消容器体と、火消容器体に被冠装着して火消容器体内における燃焼を阻止すると共に、裏返して炭おこし体を載置可能とした火消蓋体と、前記火消容器体内に収納される大きさで、且つ火消容器体の内周径に近い外径に形成した円筒形で下方周面に通気孔を設けた筒状部、及び筒状部の下方内部に設けた目皿部、及び筒状部外周に形状と一致する釣り手として、筒状部の引き上げを可能とした取出用持ち手部を備えた炭おこし体とで構成したことを特徴とする炭おこし器セット。
【請求項２】
炭おこし体に、左右一対の筒状部の外周面に添う枠形状にして、基部縦辺を筒状部の外周面に蝶結して、火消容器体に収納可能とした運搬用持ち手部を設けてなる請求項１記載の炭おこし器セット。
【発明の詳細な説明】
【技術分野】
【０００１】
本発明は、点火している炭を消して再利用するための火消し壺と、携帯用コンロや固形燃料などを使用して、屋外でも簡単に炭おこしができる炭おこし器を組み合わせてなる炭おこし器セットに関するものである。
【背景技術】
【０００２】
炭おこし器は、周知のとおり筒状容器の底面を目皿とし、容器周壁部分に持ち手を付設してなるもので、容器内に炭を入れて、ガスコンロ、固形燃料などの点火器具の上方に位置させて炭の火おこしを行うものである（特許文献１）。
【０００３】
また火消し壺は、周知のとおり陶磁器製の蓋付き壺が従前より知られているが、金属製の容器体と、容器体に被冠装着され、容器体を密閉する蓋体とで構成されている器具も知られている（特許文献２）。
【先行技術文献】
【特許文献】
【０００４】
【特許文献１】特開２００２−８９８４４号公報。
【特許文献２】登録実用新案第３１４４９７５号公報。
【発明の概要】
【発明が解決しようとする課題】
【０００５】
炭に点火する炭おこし器及び点火されている炭を消火して炭の再利用を図る火消し壺は、共に炭を収納して使用するものであるが、それぞれ使用目的が相違するために、各々独立した器具として使用されている。
【０００６】
然し各々独立器具とする場合には、当然にその収納も嵩張るものになり、また消し炭の再使用に際しては、消し炭を火消し壺から炭おこし器に移し変える煩雑さがある。
【０００７】
そこで本発明は、火消し壺及び炭おこし器を所定の形状とし、両者を組み合わせた新規な炭おこし器セットを提案したものである。
【課題を解決するための手段】
【０００８】
本発明に係る炭おこし器セットは、持ち手を付設した円形状容器であって、火消蓋体の被冠装着で消火に十分な密閉とすることができる火消容器体と、火消容器体に被冠装着して火消容器体内における燃焼を阻止すると共に、裏返して炭おこし体を載置可能とした火消蓋体と、前記火消容器体内に収納される大きさで、且つ火消容器体の内周径に近い外径に形成した円筒形で下方周面に通気孔を設けた筒状部、及び筒状部の下方内部に設けた目皿部、及び筒状部外周に形状と一致する釣り手として、筒状部の引き上げを可能とした取出用持ち手部を備えた炭おこし体とで構成したことを特徴とするものである。
【０００９】
而して炭おこし体は、火消容器体に収納可能な大きさに形成されているので、再使用する点火状態の炭（消火状態の場合も含まれる）を、炭おこし体に収納してそのまま火消容器体に収納し、火消蓋体を被冠装着すると、燃焼状態の炭は消火されて消し炭として保管されることになる。そして消し炭を再使用する際には、炭おこし体を火消容器体から取り出し、そのまま炭おこしが可能となり、点火した炭は適宜バーベキューコンロ等で使用するものである。
【００１０】
また本発明に係る炭おこし器セットは、火消容器体が円形状容器であって、炭おこし体の筒状部が火消容器体の内周径に近い外径に形成した円筒形で、取出用持ち手部を筒状部外周に形状と一致する釣り手としてなるもので、必要とする炭おこし体の容積に対応する無駄のないコンパクトな器具セットとすることができる。
【発明の効果】
【００１１】
本発明の構成は上記のとおり、火消容器体と火消蓋体と炭おこし体のセット器具で、炭おこし体を火消容器体に収納可能に設けたものであるので、火消容器体に消し炭を収納状態とした炭おこし体をそのまま保管することができ、消し炭の再使用に際してそのまま炭おこしが可能であり、作業の簡素化が実現すると共に、不使用時においても火消容器体に炭おこし体を収納することができ、運搬時や保管時に際して嵩張ることがない。
【図面の簡単な説明】
【００１２】
【図１】本発明の実施形態の全体斜視図。
【図２】同保管状態の斜視図。
【図３】同使用状態の説明図（点火炭の収納状態）。
【図４】同使用状態の説明図（消し炭の取出作業時）。
【図５】同使用状態の説明図（炭おこし作業時）。
【発明を実施するための形態】
【００１３】
次に本発明の実施形態について説明する。実施形態に示した炭おこし器セットは、火消容器体１と火消蓋体２と炭おこし体３とで構成されたものである。
【００１４】
火消容器体１は、金属製の円形容器体であり、運搬に必要な適宜な持ち手１１を付設しているものである。
【００１５】
火消蓋体２は、上記火消容器体１に被冠装着するもので、火消容器体１に装着した際に、火消容器体１内における燃焼を阻止する（炭の消火）に十分な密閉を確保できる構造・形状としたものである。
【００１６】
炭おこし体３は、筒状部３１、目皿部３２、取出用持ち手部３３、運搬用持ち手部３４を備えたもので、筒状部３１は、上記火消容器体１内に収納される大きさで、できるだけ火消容器体１の内周径に近い外径に形成した円筒形で、下方周面に通気孔３５を設けてなる。目皿部３２は、筒状部３１の下方内部の前記通気孔３５の直上位置に設けたものである。
【００１７】
また取出用持ち手部３３は、筒状部３１の外周形状と一致する釣り手としてなるものであり、運搬用持ち手部３４は、左右一対の筒状部３１の外周面に添う枠形状にして、基部縦辺を筒状部３１の外周面に蝶結したものである。
【００１８】
而して炭おこし体３は、取出用持ち手部及び運搬用持ち手部３４を、それぞれ筒状部３１の外周に添わせ、火消容器体１に収納する。この状態で点火されている炭Ａを炭おこし体３に投入し（図３の状態）、火消蓋体２を被冠装着（図２の状態）すると、収納された点火炭Ａは、酸素の供給が途絶え消火して消し炭Ｂとなる。
【００１９】
次にこの消し炭Ｂを使用する場合には、火消容器体１から炭おこし体３を引き上げて取り出す（図４の状態）。そして消し炭Ｂに点火するものであるが、点火手段は、例えば図５に示すように、火消蓋体２を裏返し、着火剤Ｃを火消蓋体２の中央に載置して点火し、その上に消し炭Ｂが収納されている炭おこし体３を置くと、通気孔３５から適宜な燃焼用空気が導入され、直ぐに消し炭Ｂが点火する。
【００２０】
点火された炭は、運搬用持ち手部３４を保持して、必要とする箇所（コンロ）まで運搬し、コンロに移しかえて使用に供するものである。勿論消し炭Ｂを使用しない場合には、通常の炭を炭おこし体３に収納して炭おこしを行うことは言うまでもない。
【００２１】
また特に前記の実施形態は円筒形状としたが、角筒形状としても良く、前記運搬用持ち手部３４に代えて、別に炭おこし体３に設けた適宜な係止部に係止着脱自在とした持ち手を付属させても良い。
【符号の説明】
【００２２】
１      火消容器体
１１    持ち手
２      火消蓋体
３      炭おこし体
３１    筒状部
３２    目皿部
３３    取出用持ち手部
３４    運搬用持ち手部
３５    通気孔
【図１】
0005735454.tif 000002
【図２】
0005735454.tif 000003
【図３】
0005735454.tif 000004
【図４】
0005735454.tif 000005
【図５】
0005735454.tif 000006